【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
ビデオデータを処理する方法であって、前記方法は、前記ビデオデータのコード化ピクチャを含むサンプルを含むファイルのサンプルエントリ中の要素の値を判断することを備え、
前記要素が第１の値を有する場合、前記サンプルエントリが適用されたストリームが復号されるときにアクティブにされるすべてのシーケンスパラメータセット（ＳＰＳ）が、前記ＳＰＳに関連付けられたいずれかのサンプルにおいていずれかの上位時間サブレイヤへの時間サブレイヤアップスイッチングが実行され得ることを示すシンタックス要素を有することを判断し、
前記要素が第２の値を有する場合、前記ＳＰＳに関連付けられた前記サンプルのいずれかにおいていずれかの上位時間サブレイヤへの時間サブレイヤアップスイッチングが実行され得ることが保証されないことを判断し、
前記時間サブレイヤアップスイッチングは、そのポイントまで転送されていないある時間サブレイヤのネットワークアブストラクションレイヤ（ＮＡＬ）ユニットを転送し始めるアクションを備える、方法。
【請求項２】
前記ＳＰＳのうちの１つに関連付けられたサンプルにおいて時間サブレイヤアップスイッチングを実行することをさらに備える、請求項１に記載の方法。
【請求項３】
コード化ビデオデータを記憶する方法であって、前記方法は、前記コード化ビデオデータのコード化ピクチャを含むコード化サンプルを記憶するファイルを生成することを備え、前記ファイルはまた、要素を含むサンプルエントリを含み、
前記要素は、前記サンプルエントリが適用されたストリームが復号されるときにアクティブにされるすべてのシーケンスパラメータセット（ＳＰＳ）が、前記ＳＰＳに関連付けられたいずれかのサンプルにおいていずれかの上位時間サブレイヤへの時間サブレイヤアップスイッチングが実行され得ることを示すシンタックス要素を有することを示す第１の要素を有し、
前記要素は、前記ＳＰＳに関連付けられた前記サンプルのいずれかにおいていずれかの上位時間サブレイヤへの時間サブレイヤアップスイッチングが実行され得ることが保証されないことを示す第２の値を有し、
前記時間サブレイヤアップスイッチングは、そのポイントまで転送されていないある時間サブレイヤのネットワークアブストラクションレイヤ（ＮＡＬ）ユニットを転送し始めるアクションを備える、方法。
【請求項４】
前記要素が、前記サンプルエントリ中にあるデコーダ構成記録中にある、請求項１または請求項３に記載の方法。
【請求項５】
前記シンタックス要素がｓｐｓ＿ｔｅｍｐｏｒａｌ＿ｉｄ＿ｎｅｓｔｉｎｇ＿ｆｌａｇシンタックス要素である、請求項１または請求項３に記載の方法。
【請求項６】
前記要素が第１の要素であり、
前記サンプルエントリがプロファイル空間要素を含み、
前記ストリームが復号されるときにアクティブにされるパラメータセット中のすべての一般プロファイル空間フラグシンタックス要素が、前記プロファイル空間要素の値に一致する値を有する、請求項１または請求項３に記載の方法。
【請求項７】
前記要素が第１の要素であり、
前記サンプルエントリがティアフラグ要素を含み、
前記ストリームが復号されるときにアクティブにされるパラメータセット中のすべての一般ティアフラグシンタックス要素が、前記ティアフラグ要素の値に一致する値を有し、
前記一般ティアフラグシンタックス要素の各々は、コード化ビデオシーケンスが準拠するレベルを示す一般レベルインジケータシンタックス要素の解釈のためのティアコンテキストを示す、請求項１または請求項３に記載の方法。
【請求項８】
前記要素が第１の要素であり、
前記サンプルエントリがプロファイルインジケータ要素を含み、
前記ストリームが復号されるときにアクティブにされるパラメータセット中のすべてのプロファイル指示シンタックス要素が、前記プロファイルインジケータ要素の値に一致する値を有し、
前記プロファイル指示シンタックス要素の各々は、コード化ビデオシーケンスが準拠するプロファイルを示す、請求項１または請求項３に記載の方法。
【請求項９】
前記要素が第１の要素であり、
前記サンプルエントリがプロファイル互換性指示要素を含み、
前記ストリームが復号されるときにアクティブにされるパラメータセット中のすべての一般プロファイル互換性フラグシンタックス要素が、前記プロファイル互換性指示要素の値に一致する値を有する、請求項１または請求項３に記載の方法。
【請求項１０】
前記要素が第１の要素であり、
前記サンプルエントリが制約インジケータフラグ要素を含み、
前記ストリームが復号されるときにアクティブにされるパラメータセット中のすべての一般予約済みゼロ１６ビットシンタックス要素が、前記プロファイル互換性指示要素の値に一致する値を有する、請求項１または請求項３に記載の方法。
【請求項１１】
前記要素が第１の要素であり、
前記サンプルエントリがレベルインジケータ要素を含み、
前記ストリームが復号されるときにアクティブにされるパラメータセット中のすべての一般レベル指示シンタックス要素が、前記レベルインジケータ要素の値に一致する値を有し、
前記一般レベル指示シンタックス要素の各々は、コード化ビデオシーケンスが準拠するレベルを示す、請求項１または請求項３に記載の方法。
【請求項１２】
ビデオデータのコード化ピクチャを含むサンプルを含むファイルを受信するための手段と、
前記ビデオデータのコード化ピクチャを含む前記ファイルのサンプルエントリ中の要素の値を判断するための手段と
を備え、前記要素が第１の値を有する場合、前記サンプルエントリが適用されたストリームが復号されるときにアクティブにされるすべてのシーケンスパラメータセット（ＳＰＳ）が、前記ＳＰＳに関連付けられたいずれかのサンプルにおいていずれかの上位時間サブレイヤへの時間サブレイヤアップスイッチングが実行され得ることを示すシンタックス要素を有することを判断し、
前記要素が第２の値を有する場合、前記ＳＰＳに関連付けられた前記サンプルのいずれかにおいていずれかの上位時間サブレイヤへの時間サブレイヤアップスイッチングが実行され得ることが保証されないことを判断し、
前記時間サブレイヤアップスイッチングは、そのポイントまで転送されていないある時間サブレイヤのネットワークアブストラクションレイヤ（ＮＡＬ）ユニットを転送し始めるアクションを備える、デバイス。
【請求項１３】
ビデオデータのコード化ピクチャを含むコード化サンプルを記憶するファイルを生成するための手段と、前記ファイルはまた、要素を含むサンプルエントリを含み、ここにおいて、
前記要素は、前記サンプルエントリが適用されたストリームが復号されるときにアクティブにされるすべてのシーケンスパラメータセット（ＳＰＳ）が、前記ＳＰＳに関連付けられたいずれかのサンプルにおいていずれかの上位時間サブレイヤへの時間サブレイヤアップスイッチングが実行され得ることを示すシンタックス要素を有するかどうかを示す第１の値を有し、
前記要素は、前記ＳＰＳに関連付けられた前記サンプルのいずれかにおいていずれかの上位時間サブレイヤへの時間サブレイヤアップスイッチングが実行され得ることが保証されないことを示す第２の値を有し、
前記時間サブレイヤアップスイッチングは、そのポイントまで転送されていないある時間サブレイヤのネットワークアブストラクションレイヤ（ＮＡＬ）ユニットを転送し始めるアクションを備える、
前記ファイルを出力するための手段と
を備える、デバイス。
【請求項１４】
実行されたとき、請求項１−１１のうちのいずれか１つにしたがって前記方法を実行するように１つまたは複数のプロセッサを構成する命令を記憶した、非一時的コンピュータ可読記憶媒体。